(57)【要約】    【課題】  特徴のあるパターン、すなわちパビリオンを下から見たときにロワーガードルファセットに少なくとも４個のハート状反射光パターンが現れるオーバルカットしたダイヤモンドを提供する。    【解決手段】  柱状ガードルと、頂部に八辺形テーブルファセットを持ったクラウンと、パビリオンとを有するカットである。ガードルはその断面の輪郭線が楕円あるいは楕円に類似した形で、断面の短長径比（ｂ／ａ）が０．６以上、好ましくは０．７を超えている。テーブルファセットの長半径（Ｄｅｌ）は長径（ａ）によって０．３７５ａと表される値以上である。パビリオンは、８個のパビリオンメインファセットと１６個のロワーガードルファセットとを持つ。パビリオン角（ｐ）は３８．０度〜４５．０度の間の同じ値である。中心軸からロワーガードルファセットまでの距離（Ｇｄ）は長径（ａ）によって０．１５ａ〜０．４ａと表される値である。【選択図】    図２
2005095280.tif 000002
【特許請求の範囲】
【請求項１】
柱状のガードルと、ガードル上部に設けられているとともに、その頂部に八辺形をしたテーブルファセットを持ったクラウンと、ガードル下部に設けられたパビリオンとを有し、
前記ガードルはテーブルファセットと平行な断面の輪郭線が楕円あるいは楕円に類似した形であり、
前記パビリオンは、テーブルファセット中心に垂直に立てた中心軸の下端に下頂点を有し、その下頂点とガードルとの間の周囲に８個のパビリオンメインファセットと１６個のロワーガードルファセットとを持つとともに、
そのパビリオンメインファセットそれぞれは、
前記下頂点と柱状ガードルの外面との間で、前記ガードル断面の長軸、短軸および長軸と短軸とのなす角をほぼ２等分する２等分線のそれぞれの方向に前記下頂点から延びている四辺形あるいは部分四辺形であり、
隣り合っているパビリオンメインファセットとの間に前記下頂点を一端とする辺を共有しており、
前記ロワーガードルファセットは、パビリオンメインファセットと前記ガードル外面との間に形成されているものである、
オーバルカットしたダイヤモンドにおいて、
ガードル断面の輪郭線が形成している前記楕円あるいは楕円に類似した形は、その長軸方向半径（以下、「長径」という）をａ、その短軸方向半径（以下、「短径」という）をｂと表したときに、短長径比（ｂ／ａ）が０．６以上であり、
前記テーブルファセットはその最も長い対角線が前記長軸方向に延びており、その長さの半分（以下、「長半径」という）（Ｄｅｌ）が長径（ａ）によって０．３７５ａと表される値以上であり、
各パビリオンメインファセットとテーブルファセットとの間のパビリオン角（ｐ）が３８．０度〜４５．０度の間で実質的に同じ値をしているとともに、
隣り合っている２つのパビリオンメインファセットが共有している前記辺の他端までの中心軸からの距離の、中心軸を通りその２つのパビリオンメインファセットの１つを２分割する面への投影をロワーガードルファセット距離（Ｇｄ）と表したときに、ロワーガードルファセット距離（Ｇｄ）が長径（ａ）によって０．１５ａ〜０．４０ａと表される値である
ことを特徴とするオーバルカットしたダイヤモンド。
【請求項２】
前記長軸、短軸および前記２等分線を纏めて８等分線、その８等分線それぞれと前記中心軸とを含む平面を８等分面、そして隣り合う８等分面が中心軸の周りに作る角をほぼ２等分する面を１６等分面としたときに、
前記パビリオンメインファセットそれぞれは、
前記長軸とガードル外面との交点を中心軸の周りに回して描いた円と８等分面との交点それぞれと、前記下頂点とを対頂点として持つとともに、
前記下頂点を一端とした前記辺およびその辺の他端とを、当該８等分面を挟む隣接する２つの１６等分面の上で、隣接するパビリオンメインファセットとの間で共有している
四辺形あるいは部分四辺形であり、
前記ロワーガードルファセットそれぞれは、
隣接する２つのパビリオンメインファセットが共有している前記辺の他端と、それら隣接する２つのパビリオンメインファセットのうち一方のパビリオンメインファセットを通る８等分面と前記円との交点とを通る当該パビリオンメインファセットの側辺と、
当該他端を通る１６等分面とガードル外面との交線上の点と当該他端とを結ぶ線とに、
挟まれた３角形あるいは楕円セクターである
ことを特徴とする請求項１記載のオーバルカットしたダイヤモンド。
【請求項３】
前記ロワーガードルファセットそれぞれは、
隣接する２つのパビリオンメインファセットが共有している前記辺の他端と、それら隣接する２つのパビリオンメインファセットのうち一方のパビリオンメインファセットを通る８等分面と前記円との交点とを通る当該パビリオンメインファセットの側辺と、
当該他端を通る１６等分面と前記円との交点と当該他端とを結ぶ線とに、
挟まれた３角形あるいは楕円セクターである
ことを特徴とする請求項２記載のオーバルカットしたダイヤモンド。
【請求項４】
前記クラウンは更に、ガードルとテーブルファセットとの間の周囲に、８個の四辺形をしたクラウンメインファセットと、８個の三角形をしたスターファセットと、１６個のアッパーガードルファセットとを有し、
前記テーブルファセットの対向する２頂点はテーブルファセット中心に垂直に立てた中心軸から前記ガードル断面の長軸方向に実質的に同じ距離にあり、
テーブルファセットの対向する他の２頂点は中心軸から前記ガードル断面の短軸方向に実質的に同じ距離にあり、
テーブルファセットの他の４頂点それぞれは前記長軸と短軸とのなす角をほぼ２等分する２等分線の方向に中心軸から実質的に同じ距離にあり、
前記クラウンメインファセットそれぞれは、
前記８等分線がそれぞれガードル外面と交差する各点とテーブルファセットの各頂点とを対頂点としているとともに、
隣り合う８等分線がなす角をほぼ２等分する１６等分面の上で隣接するクラウンメインファセットそれぞれとの間で他の頂点を共有している
四辺形であり、
前記スターファセットそれぞれは、
前記テーブルファセットの各辺を底辺として、
隣接する２つのクラウンメインファセットが共有している前記他の頂点を対頂点として持つ
三角形であり、
前記アッパーガードルファセットそれぞれは、
クラウンメインファセットの側辺のうち、８等分面とガードル外面との交点と、当該クラウンメインファセットが隣接するクラウンメインファセットとの間で共有している頂点とを通る辺を底辺として、
当該頂点を通る前記１６等分面とガードル外面との交線上の点を頂点とする
三角形あるいは楕円セクターである
ことを特徴とする請求項１〜３のいずれか記載のオーバルカットしたダイヤモンド。
【請求項５】
短長径比（ｂ／ａ）が０．７を超えた値で、パビリオン角（ｐ）が３８．０度〜４３．５度であることを特徴とする請求項１〜４のいずれか記載のオーバルカットしたダイヤモンド。
【請求項６】
パビリオン角（ｐ）が３８．０度〜３９度であることを特徴とする請求項５記載のオーバルカットしたダイヤモンド。
【請求項７】
テーブルファセットの長半径（Ｄｅｌ）が長径（ａ）によって０．４２５ａで表される値以上であることを特徴とする請求項５あるいは６記載のオーバルカットしたダイヤモンド。
【発明の詳細な説明】
【技術分野】
【０００１】
本発明はダイヤモンドのカット、特にオーバルガードルを持ったダイヤモンドのカットで新規な反射光パターンを有するものに関するものである。
【背景技術】
【０００２】
ダイヤモンドのカットとして一般に広く使われているものはラウンドブリリアントカットである。ラウンドブリリアントカットの変形としてオーバルガードルを持ったカットがある。
【０００３】
オーバルブリリアントカットでは断面がオーバルとなったガードルと、そのガードルの上部に設けられているとともに、その頂部にテーブルファセットを持ったクラウンと、ガードル下部にパビリオンを持つ。オーバルブリリアントカットにおけるクラウンとパビリオンはともにラウンドブリリアントカットにおける円形ガードルをオーバルガードルに代えたものとなっている。すなわち、オーバルブリリアントカットのパビリオンではオーバルガードルとそのガードルの長軸および短軸との交点および隣り合っている長軸と短軸とがなす角をほぼ２等分する２等分線とガードルとの８交点それぞれからキュレットに収束している８個のパビリオンメインファセットがある。パビリオンには隣り合っているパビリオンメインファセットとガードルとで囲まれた部分を２つに分けた楕円セクターあるいはほぼ三角形をしたロワーガードルファセットが１６個ある。オーバルガードル外周上におけるガードル高さは一般的に全周に亘ってほぼ同じに作られているので長軸側に設けたパビリオンメインファセットのパビリオン角（パビリオンメインファセットとテーブルファセットとの角）に比べて短軸側にあるパビリオンメインファセットのパビリオン角が大きくなり、長軸と短軸との中間に設けたパビリオンメインファセットのパビリオン角はそれらのパビリオン角の中間となっていた。同様に、長軸側のロワーガードルファセットのテーブルファセットとなす角度よりも、短軸側のロワーガードルファセットのテーブルファセットとなす角度が大きくなっていた。
【０００４】
他方クラウンでは、八辺形をしたテーブルファセットの頂点のうち長軸側にある頂点を外方向にずらし、短軸側にある頂点を内側にずらして、長軸方向に少し延びた八辺形テーブルファセットとして、クラウンメインファセット（「ベーゼルファセット」と呼ぶことがある）の半径方向長さとクラウン角とを同じとすることができる。
【発明の開示】
【発明が解決しようとする課題】
【０００５】
その結果としてオーバルブリリアントカットダイヤモンドは８個のクラウン角をほぼ同じとして、８個のパビリオン角の間に差のあるものとなっていた。また１６個のロワーガードルファセットがテーブルファセットとなす角度も違ったものとなっていた。パビリオン角とロワーガードルファセット角それぞれがこのように同じ値を持たないので、パビリオンメインファセットとロワーガードルファセットで反射された光およびそれらの面から出てくる光パターンはそれらの面での乱反射を受けているために一様なものとはならず、極めて細かい形状の反射パターンとなって特定が困難なものとなっていた。
【０００６】
宝石の鑑定にはダイヤモンドの正面から見た反射光パターンと裏から見た反射光パターンとを用いるのが一般である。例えば、ラウンドブリリアントカットダイヤモンドでは、正面から見た反射光パターンはテーブルファセット上に中心軸に関して対称に放射状のアロー（矢印）パターンが現れて、裏面から見た場合パビリオンのロワーガードルファセット上に中心軸に関して放射状のハートパターンが現れる。これらのパターンが観察されるかどうかが、そのダイヤモンドの加工が精度良く行われたかどうかのメルクマールとなっていたのである。しかし、従来のオーバルカットダイヤモンドでは裏から見た反射光パターンは図８に示すように特徴のないものとなっていた。
【０００７】
そこで、本発明の目的とするところは、特徴のある反射光パターンを持ったオーバルカットしたダイヤモンドを提供するものである。
【０００８】
すなわち、本発明は、パビリオンを中心軸の下方向から見たときに、ロワーガードルファセットに、中心軸を対称中心として４個あるいは８個のハート状反射光パターンが現れるオーバルカットしたダイヤモンドを提供するものである。
【課題を解決するための手段】
【０００９】
本発明のオーバルカットしたダイヤモンドは、柱状のガードルと、ガードル上部に設けられているとともに、その頂部に八辺形をしたテーブルファセットを持ったクラウンと、ガードル下部に設けられたパビリオンとを持つ。そのガードルはテーブルファセットと平行な断面の輪郭線が楕円あるいは楕円に類似した形をしている。パビリオンは、テーブルファセット中心に垂直に立てた中心軸の下端に下頂点を有し、その下頂点とガードルとの間の周囲に８個のパビリオンメインファセットと１６個のロワーガードルファセットとを持つ。
【００１０】
パビリオンメインファセットそれぞれは、
パビリオンの下頂点と柱状ガードルの外面との間で、ガードル断面の長軸、短軸および長軸と短軸とのなす角をほぼ２等分する２等分線のそれぞれの方向にパビリオンの下頂点から延びている四辺形あるいは部分四辺形であり、
隣り合っているパビリオンメインファセットとの間に前記下頂点を一端とする辺を共有している。そして、ロワーガードルファセットは、パビリオンメインファセットとガードル外面との間に形成されている。
【００１１】
ガードル断面の輪郭線が形成している楕円あるいは楕円に類似した形は、その長軸方向半径（以下、「長径」という）をａ、その短軸方向半径（以下、「短径」という）をｂと表したときに、短長径比（ｂ／ａ）が０．６以上である。テーブルファセットはその最も長い対角線がその長軸方向に延びており、その長さの半分（以下、「長半径」という）（Ｄｅｌ）が長径（ａ）によって０．３７５ａと表される値以上となっている。各パビリオンメインファセットとテーブルファセットとの間のパビリオン角（ｐ）が３８．０度〜４５．０度の間で実質的に同じ値をしている。隣り合っている２つのパビリオンメインファセットが共有している辺の他端までの中心軸からの距離の、中心軸を通りその２つのパビリオンメインファセットの１つを２分割する面への投影をロワーガードルファセット距離（Ｇｄ）と表したときに、ロワーガードルファセット距離（Ｇｄ）が長径（ａ）によって０．１５ａ〜０．４０ａと表される値である。
【００１２】
本発明のオーバルカットしたダイヤモンドにおいて、ガードル断面の長軸、短軸および前記２等分線を纏めて８等分線、その８等分線それぞれとテーブルファセットに立てた中心軸とを含む平面を８等分面、そして隣り合う８等分面が中心軸の周りに作る角をほぼ２等分する面を１６等分面としたときに、
パビリオンメインファセットそれぞれは、
長軸とガードル外面との交点を中心軸の周りに回して描いた円と８等分面との交点それぞれと、パビリオン下頂点とを対頂点として持つとともに、
その下頂点を一端とするパビリオンメインファセットの辺およびその辺の他端とを、その８等分面を挟む隣接する２つの１６等分面の上で、隣接するパビリオンメインファセットとの間で共有している、
四辺形あるいは部分四辺形である。ロワーガードルファセットそれぞれは、
隣接する２つのパビリオンメインファセットが共有している辺の他端と、それら隣接する２つのパビリオンメインファセットのうち一方のパビリオンメインファセットを通る８等分面と前記円との交点とを通るそのパビリオンメインファセットの側辺と、
前記共有辺の他端を通る１６等分面とガードル外面との交線上の点とその他端とを結ぶ線とに、
挟まれた３角形あるいは楕円セクターであることが好ましい。
【００１３】
本発明のオーバルカットしたダイヤモンドにおいて、ロワーガードルファセットそれぞれは、
隣接する２つのパビリオンメインファセットが共有している辺の他端と、それら隣接する２つのパビリオンメインファセットのうち一方のパビリオンメインファセットを通る８等分面と前記円との交点とを通るそのパビリオンメインファセットの側辺と、
当該他端を通る１６等分面と前記円との交点と当該他端とを結ぶ線とに、
挟まれた３角形あるいは楕円セクターであることが更に好ましい。
【００１４】
本発明のオーバルカットしたダイヤモンドにおいて、クラウンは更に、ガードルとテーブルファセットとの間の周囲に、８個の四辺形をしたクラウンメインファセットと、８個の三角形をしたスターファセットと、１６個のアッパーガードルファセットとを持つことができる。そのテーブルファセットは、その対向する２頂点がテーブルファセット中心に垂直に立てた中心軸から前記ガードル断面の長軸方向に実質的に同じ距離にあり、対向する他の２頂点が中心軸から前記ガードル断面の短軸方向に実質的に同じ距離にあり、他の４頂点それぞれは前記長軸と短軸とのなす角をほぼ２等分する２等分線の方向に中心軸から実質的に同じ距離にある。クラウンメインファセットそれぞれは、
８等分線がそれぞれガードル外面と交差する各点とテーブルファセットの各頂点とを対頂点としているとともに、
隣り合う８等分線がなす角をほぼ２等分する１６等分面の上で隣接するクラウンメインファセットそれぞれとの間で他の頂点を共有している、
四辺形である。スターファセットそれぞれは、
テーブルファセットの各辺を底辺として、
隣接する２つのクラウンメインファセットが共有している他の頂点を対頂点として持つ、
三角形である。アッパーガードルファセットそれぞれは、
クラウンメインファセットの側辺のうち、８等分面とガードル外面との交点と、当該クラウンメインファセットが隣接するクラウンメインファセットとの間で共有している頂点とを通る辺を底辺として、
当該頂点を通る１６等分面とガードル外面との交線上の点を頂点とする
三角形あるいは楕円セクターである。
【００１５】
短長径比（ｂ／ａ）が０．７を超えた値で、パビリオン角（ｐ）が３８．０度〜４３．５度であることが好ましい。また、パビリオン角（ｐ）が３８．０度〜３９度であることが更に好ましい。テーブルファセットの長半径（Ｄｅｌ）が長径（ａ）によって０．４２５ａで表される値以上であることが好ましい。
【発明の効果】
【００１６】
本発明のオーバルカットしたダイヤモンドでは、下から観察したときに、すなわち中心軸の下端の方向から観察したときに、中心軸を対称の中心として、ハート状反射光パターンがロワーガードルファセットに４個好ましくは８個観察をすることができる。そのハート形が正しく出ていることをダイヤモンド加工の対称性の良さの尺度とすることができる。
【発明を実施するための最良の形態】
【００１７】
本発明のオーバルカットをしたダイヤモンドをその実施例を示す図面に基づいて詳しく説明をする。図１は本発明の実施例によるオーバルカットしたダイヤモンドの上面図、図２はその底面図、図３は正面図、図４は側面図をそれぞれ示している。これらの図で、オーバルカットしたダイヤモンド１００は柱状のガードル１０と、そのガードル１０の上部にクラウン２０と、ガードル１０の下部にパビリオン４０を持つ。クラウン２０はその頂部に八辺形をしたテーブルファセット２２を持っている。図１はクラウン２０を上部から見た図、図２はパビリオン４０を底部から見た図となっている。
【００１８】
図１と図２から明らかなように、この実施例のオーバルカットしたダイヤモンドではそのガードル１０，すなわちテーブルファセットと平行なガードル断面が楕円となっている。しかし、後で説明するようにガードル断面が楕円となっているものだけではなく、テーブルファセットと平行なガードル断面の輪郭線が楕円あるいは楕円に類似した形をしているダイヤモンドにも本発明は適用できるものである。
【００１９】
パビリオン４０はテーブルファセット２２の中心に垂直に立てた中心軸６０の下端に下頂点６２，すなわちキュレットを持つ。パビリオン４０は下頂点６２とガードル１０との間がほぼ楕円錐形となっており、その外周に８個のパビリオンメインファセット４２，４４，４６と１６個のロワーガードルファセット５２とを持つ。
【００２０】
説明の便宜上から、図に示すように、ガードル断面の輪郭線が形成している楕円あるいは楕円に類似した形の長軸方向をｘ軸、その短軸方向をｙ軸とする。そして、ｘ軸（長軸）とｙ軸（短軸）とのなす角をほぼ２等分する２等分線を７０とおく。
【００２１】
パビリオンメインファセットそれぞれは、下頂点６２とガードル１０の外面との間で、ｘ軸方向、ｙ軸方向、およびそれらの２等分線７０の方向に下頂点６２から延びており、ｘ軸方向に延びたパビリオンメインファセット４２は四辺形であり、ｙ軸方向のパビリオンメインファセット４６と２等分線方向のパビリオンメインファセット４４とは四辺形の先端を切り取った形状すなわち部分四辺形となっている。そして、パビリオンメインファセット４２は隣り合っているパビリオンメインファセット４４との間に下頂点６２を一端とする辺８６を共有している。他のパビリオンメインファセット４４，４６についても同様に隣り合っているパビリオンメインファセットとの間に下頂点６２を一端とする辺８６を共有している。
【００２２】
ロワーガードルファセット５２それぞれは、パビリオン楕円錐形外周面上で、パビリオンメインファセット４２，４４，４６とガードル１０の外面との間に形成されている。
【００２３】
ガードル断面の輪郭線が形成している楕円あるいは楕円に類似した形で、図１に示すように、ｘ軸方向すなわち長軸方向半径（長径）をａ、ｙ軸方向半径（短径）をｂと表す。本発明のオーバルカットしたダイヤモンドではその短長径比（ｂ／ａ）が０．６以上あることが必要で、好ましくは０．７を超えている。また、テーブルファセット２２の最も長い対角線がｘ軸方向（長軸方向）に延びており、その対角線長さの半分すなわちテーブルファセットの長半径（Ｄｅｌ）は、長径（ａ）によって０．３７５ａと表される値以上になっている。
【００２４】
パビリオンメインファセットそれぞれがテーブルファセットとなす角（ｐ）が３８．０度〜４５．０度の間で実質的に同じ値をしている必要がある。
【００２５】
また、隣り合っている２つのパビリオンメインファセット４２と４４，あるいは４４と４６が共有している辺８６の他端８７までの中心軸６０からの距離の、中心軸６０を通りそれらパビリオンメインファセットのうち１つ、例えばパビリオンメインファセット４２を２等分する面、ここではｘ軸と中心軸６０とを含む面への投影をロワーガードルファセット距離（Ｇｄ）としたときに、ロワーガードルファセット距離（Ｇｄ）が長径（ａ）によって０．１５ａ〜０．４０ａと表される値である。
【００２６】
この実施例を用いてオーバルカットしたダイヤモンド１００の形状を、特にパビリオンの形状について更に詳しく説明する。
【００２７】
ｘ軸すなわち長軸とガードル１０の外面との交点４８を中心軸６０の回りに回して描いた円４７を考える（図２参照）。ｘ軸、ｙ軸およびそれらの２等分線７０（以下纏めて、「８等分線」ということがある）のそれぞれと中心軸６０とを含む平面（以下、「８等分面」ということがある）が、円４７と点４８，４９および５０で交わる。パビリオンメインファセット４２，４４，４６のそれぞれは、下頂点６２と点４８，４９，５０のそれぞれとを対頂点として持つ。ここで、隣り合う８等分面が中心軸６０の周りに作る角をほぼ２等分する面を１６等分面８０と呼ぶと、下頂点６２を一端とした辺８６と、その辺８６の他端８７とを、その８等分面を挟んでいる隣接する２つの１６等分面８０の上で、隣接するパビリオンメインファセットとの間で共有している。このように、各パビリオンメインファセットは仮想円４７の円周上の点と下頂点６２とを対頂点として、それらを結ぶ対角線を持っており、その対角線がテーブルファセットとなす角（パビリオン角）が実質的に同じとなっている。図２から明らかなように短軸側では、ガードル１０の半径が仮想円４７の半径よりも小さくなっているので、短軸側にあるパビリオンメインファセット４６のガードル側先端が切断されて部分四辺形となっている。
【００２８】
ロワーガードルファセット５２それぞれは、図２を参照して、隣接する２つのパビリオンメインファセット（例えば、４２と４４）が共有している辺８６の他端８７と、８等分面と円４７との交点４９とを通る辺（線分８７−４９）を持つ。そして、その他端８７を通る１６等分面８０とガードル１０の外面との交線上の点５４と他端８７とを結ぶ線（線分５４−８７）を、ロワーガードルファセット５２は他辺として持つ。より厳密に言うと、その他辺はその１６等分面８０と円４７との交点５３と、その他端８７とを結ぶ線（線分５３−８７）である。そこでロワーガードルファセット５２は線分８７−４９と線分５４−８７あるいは線分５３−８７とで挟まれた３角形あるいは楕円セクターである。
【００２９】
本発明ではクラウンにあるクラウンメインファセット、スターファセット、アッパーガードルファセットなどクラウンファセットの形状はそれほど重要ではない。しかし、クラウン２０はテーブルファセット２２の他に、８個の四辺形をしたクラウンメインファセット２６と、８個の三角形をしたスターファセット３２と、１６個のアッパーガードルファセット３６とを持つことができる。
【００３０】
テーブルファセット２２の対向する２頂点２３は中心軸６０からｘ軸方向（長軸方向）に実質的に同じ距離にあり、他の対向する２頂点２４は中心軸６０からｙ軸方向（短軸方向）に実質的に同じ距離にあり、他の４頂点２５それぞれは長軸（ｘ軸）と短軸（ｙ軸）とのなす角をほぼ２等分する２等分線７０の方向に中心軸６０から実質的に同じ距離にある。
【００３１】
クラウンメインファセット２６それぞれは、８等分線がそれぞれガードル１０の外面と交差する各点２７，２９および２８とテーブルファセット２２の各頂点２３，２４および２５とを対頂点２７と２３，２９と２４および２８と２５として、隣り合う８等分線（例えば、７０とｘ軸）がなす角をほぼ２等分する１６等分面８０の上で隣接するクラウンメインファセット２６との間で他の頂点２１を共有している四辺形であることが好ましい。
【００３２】
スターファセット３２それぞれは、テーブルファセット２２の各辺（例えば、線分２３−２５）を底辺として、隣接する２つのクラウンメインファセット２６と２６が共有している他の頂点２１を持つ三角形であることが好ましい。
【００３３】
アッパーガードルファセット３６それぞれは、クラウンメインファセット２６が隣接するクラウンメインファセットとの間で共有している頂点２１と、８等分面とガードル外面との交線上の点（例えば２７）とを通る線分（２１−２７）を底辺として、その頂点２１を通る１６等分面８０とガードル外面との交線上の点３８を頂点とするものであることが好まし。それは通常三角形であるが、図にあるようにガードルとの交線が楕円弧となっている楕円セクターの場合がある。
【００３４】
上で説明した本発明の実施例の構造を持ったオーバルカットしたダイヤモンドを用いてその反射光パターンを観察すると、パビリオンのロワーガードルファセット上に図６および図７に示すような反射光パターンが現れた。観察は図５に示すように、平板５０２上にテーブルファセットを下向きにして置き、周辺からの光を円筒５０３で遮断して、オーバルカットしたダイヤモンド１００のパビリオンからその中心軸に対して０〜２０°の角度で光線５０４を照射した。ダイヤモンド１００の中で反射してパビリオン上に現れた反射光パターンをデジタルカメラ５１０で撮像して、それをＣＲＴ５２０で観察、あるいはそれをプリントして観察した。
【００３５】
図６に示す反射光パターンは、本発明の実施例のオーバルカットしたダイヤモンドで、短長径比（ｂ／ａ）が０．８５，テーブルファセットの長半径（Ｄｅｌ）が０．５ａ，ロワーガードルファセット距離（Ｇｄ）が０．２５ａ，パビリオン角（ｐ）が３８．５度のものについて観察したものである。このダイヤモンドではハート状反射光パターンが中心軸に関して対称に各ロワーガードルファセットに合計８個現れている。
【００３６】
図７に示す反射光パターンは、本発明の実施例の他のオーバルカットしたダイヤモンドで、短長径比（ｂ／ａ）が０．６８，テーブルファセットの長半径（Ｄｅｌ）が０．５ａ，ロワーガードルファセット距離（Ｇｄ）が０．２５ａ，パビリオン角（ｐ）が３８．５度のものについて観察したものである。このダイヤモンドではハート状反射光パターンが中心軸に関して対称に長軸に近いロワーガードルファセットに合計４個現れている。短軸側のロワーガードルファセットに現れているパターンはハートの上部が潰れている。このように本発明のオーバルカットしたダイヤモンドではハート状反射光パターンが４個あるいは８個現れるのである。
【００３７】
パビリオンのロワーガードルファセットに現れるハート状反射光パターンは、パビリオンメインファセットの下頂点付近からダイヤモンドに入射した光によるパビリオンメインファセットの像がテーブルファセットで反射して、それがロワーガードルファセットに写ったものである。図９はオーバルカットしたダイヤモンドを図２のｘ軸と１６等分面８０との間で切断した断面を用いて、ダイヤモンドに入射した光の光路を模式的に示している。入射光がパビリオンメインファセット４２′に入射してテーブルファセット２２で反射し、それが反対側のロワーガードルファセット５２に写り観察されるのである。この図で断面のハッチングは図が煩雑になるので省略している。
【００３８】
図２でｘ軸の方向にあるパビリオンメインファセット４２のすぐ上にあるロワーガードルファセット５２に現れるハート状反射光パターン９０を図１０に拡大して模式的に示している。そして、ハート状反射光パターンを形成している光がダイヤモンド内に入射するファセットである−ｘ軸の方向にあるパビリオンメインファセット４２′を拡大して図１１に示している。図１１のパビリオンメインファセット４２′と図１０のハート状反射光パターン９０とを対応させて説明する。下頂点６２近くのパビリオンメインファセット内に入射した光が、図１０のハート状反射光パターン９０のＲ部近くに出てきて、パビリオンメインファセット４２′の下頂点６２のところにある頂角ｒがハート状反射光パターン９０の頂角Ｒとなる。下頂点６２とパビリオンメインファセット４２′の頂点８７′とを結ぶ側辺８６′が図１０のハート状反射光パターンのＲＳ線に対応する。しかし、ロワーガードルファセット距離（Ｇｄ）が大きいときには像がロワーガードルファセット５２の幅よりも大きくなるので、１６等分面８０上にあるロワーガードルファセット５２の稜線によって切られたパビリオンメインファセット４２′のｒｓ像がロワーガードルファセット５２上にＲＳ線として現れる。しかし、そのときは、ハート状反射光パターン９０上のＳ点がパビリオンの半径外方向に移動してくるので、ハート状反射光パターン中央の切り込みが浅くなってくる。反対にロワーガードルファセット距離（Ｇｄ）が小さくなると、側辺８６′の像が完全にロワーガードルファセット５２に生じる。また、テーブルファセット２２で反射した像なので、テーブルファセット２２の半径が小さくなるとハート状反射光パターン９０のＲ部が削られてくる。
【００３９】
パビリオンメインファセット４２′で下頂点６２と頂点８７″とを結ぶ側辺８６″がハート状反射光パターン９０のＲＱ線に対応する。そして、頂点８７″と頂点４８′とを結ぶ側辺がハート状反射光パターンのＱＰ線に対応する。パビリオンメインファセット４２′のロワーガードルファセット距離（Ｇｄ）が大きいほど、パビリオンメインファセット４２′の幅が広くなり頂点８７″が図１１の上で下頂点６２から遠くに移動する。それに伴い、ロワーガードルファセット５２が小さくなるので、ハート状反射光パターン９０のＰ点が半径外方向に移動する。
【００４０】
ここでは、テーブルファセットの半径とロワーガードルファセット距離（Ｇｄ）とがハート状反射光パターンに及ぼす影響を定性的に説明したが、それ以外にガードル断面の短長径比（ｂ／ａ）およびパビリオン角（ｐ）も影響がある。以下それらの影響について検討した結果を述べる。
【００４１】
本発明のオーバルカットしたダイヤモンドでは、パビリオンメインファセットがテーブルファセットとなす角、すなわちパビリオン角（ｐ）がそのダイヤモンドの中で実質的に同じ値でなければならない。隣り合っている２つのパビリオンメインファセット、例えば図２で４２と４４とが違った値のパビリオン角を持っていると、それらの間に挟まれている２つのロワーガードルファセット５２が中心軸６０に対して傾くために、２つのロワーガードルファセットに写ったハート状反射光パターンの左半分と右半分との形が歪んで来たり、像がそのファセット上に結ばなくなる。そこで以下の検討においては、１個のダイヤモンドの持つパビリオンメインファセットそれぞれのパビリオン角が同じ値であるとした。
【実施例】
【００４２】
検討１  テーブルファセットの長半径（Ｄｅｌ）の影響
上で説明したように、テーブルファセットの半径が小さくなるとハート状反射光パターン９０のＲ部が削られ、あるいは切り取られてくるので、まずテーブルファセットの長半径（Ｄｅｌ）を変えたときのハート状反射光パターンへの影響を調べた。ガードル断面の短長径比（ｂ／ａ）：０．８，クラウン角（ｃ）：２６度で、ロワーガードルファセット距離（Ｇｄ）を０．１５ａと一定にしたオーバルカットしたダイヤモンドで、パビリオン角（ｐ）を３８．０度から４１．５度まで変えるとともに、テーブルファセットの長半径（Ｄｅｌ）を０．３５ａから０．６２５ａまで変えたものを用意して、図５を参照して説明した観察方法に従ってハート状反射光パターンを観察した。ハート状反射光パターンを数値的に評価するために、図１２に示すように、ハート状反射光パターン９０の全体長さをＬ、中央の切り込み深さをＤとして、その比（Ｄ／Ｌ）を用いた。Ｄ／Ｌが０．１以下となると中央の切り込み深さがあまりにも浅くなり場合によっては三角形となって、ハート状反射光パターンとは呼べない。反対にＤ／Ｌが０．６以上となると、鏃の先端のようになりハート状反射光パターンとは呼べない。そこで、Ｄ／Ｌが０．１〜０．６の間のときにハート状反射光パターンと呼ぶことができる。Ｄ／Ｌが０．２〜０．５の間では更に好ましいハート状反射光パターンとなる。
【００４３】
観察結果を纏めて、図１３に示す。図１３は横軸に長半径（Ｄｅｌ）を、縦軸にＤ／Ｌをとったもので、パビリオン角（ｐ）をパラメータとして、グラフに示している。なおグラフの上ではａを省略して、長半径（Ｄｅｌ）を示している。このグラフから長半径（Ｄｅｌ）が０．３７５ａ以上でパビリオン角（ｐ）の値に関係なくＤ／Ｌが０．１よりも大きくなっていることがわかる。更に、長半径（Ｄｅｌ）が０．４２５ａ以上で、パビリオン角（ｐ）がほぼ４０度以下では、Ｄ／Ｌがほぼ０．２以上となっている。長半径（Ｄｅｌ）が小さくなるとハート状反射光パターンの頂部Ｒ部が削られて中央の切り込み深さ（Ｄ）が浅くなることを裏付けるものであった。
【００４４】
検討２  パビリオン角（ｐ）の影響
ここではパビリオン角（ｐ）を３８．０度から４５．０度まで変えるとともに、ロワーガードルファセット距離（Ｇｄ）を０．１５ａから０．３０ａまで変えて、パビリオン角のハート状反射光パターンへの影響を調べた。ガードル断面の短長径比（ｂ／ａ）：０．８，テーブルファセットの長半径（Ｄｅｌ）：０．５ａとしたオーバルカットしたダイヤモンドを用いた。ハート状反射光パターンの観察は図５を参照して説明した観察方法により、パターンの数値的評価は検討１と同様とした。長軸側にあるハート状反射光パターンの観察結果を図１４に、短軸側にあるハート状反射光パターンの観察結果を図１５に示した。これらのグラフは、ロワーガードルファセット距離（Ｇｄ）をパラメータとして、Ｄ／Ｌを縦軸に、パビリオン角（ｐ）を横軸にとって示した。
【００４５】
図１４から明らかなように、長軸側では、パビリオン角（ｐ）が３８．０度から４５度の間でハート状反射光パターンとなっている。しかし、短軸側では図１５にあるように、ロワーガードルファセット距離（Ｇｄ）が０．１５ａになると３８．０度〜４３．５度のパビリオン角（ｐ）のときに、ロワーガードルファセット距離（Ｇｄ）がそれよりも大きくなると３８．０度〜３９度のパビリオン角（ｐ）のときにハート状反射光パターンとなる。パビリオン角（ｐ）が３８．０度〜４３．５度、好ましくは３８．０度〜３９度のときには、長軸側と短軸側との両方にハート状反射光パターンが出るので、それは合計８個のハート状反射光パターンがロワーガードルファセットに現れることを意味している。パビリオン角（ｐ）がそれよりも大きく４５度以下の時には長軸側のみに出るので、合計で４個のハート状反射光パターンが現れることを意味している。
【００４６】
検討３  短長径比（ｂ／ａ）の影響
ガードル断面の短長径比（ｂ／ａ）を０．６から０．９まで変えるとともに、ロワーガードルファセット距離（Ｇｄ）を０．１５ａから０．４０ａまで変えて、短長径比（ｂ／ａ）のハート状反射光パターンへの影響を調べた。パビリオン角（ｐ）：３８．５度，テーブルファセットの長半径Ｄｅｌ：０．５ａとしたオーバルカットしたダイヤモンドを用いた。ハート状反射光パターンの観察は図５を参照して説明した観察方法により、パターンの数値的評価は検討１と同様とした。長軸側にあるハート状反射光パターンの観察結果を図１６に、短軸側にあるハート状反射光パターンの観察結果を図１７に示した。これらのグラフは、ロワーガードルファセット距離（Ｇｄ）をパラメータとして、Ｄ／Ｌを縦軸に、ガードル断面の短長径比（ｂ／ａ）を横軸にとって示した。
【００４７】
図１６から明らかなように、長軸側では、ガードル断面の短長径比（ｂ／ａ）が０．６以上ではハート状反射光パターンとなっている。しかし短軸側では、ロワーガードルファセット距離（Ｇｄ）が０．１５ａでは短長径比（ｂ／ａ）が０．６７以上、ロワーガードルファセット距離（Ｇｄ）が０．２０ａ以上で短長径比（ｂ／ａ）が０．７を超える必要がある。ロワーガードルファセット距離（Ｇｄ）を０．１０ａから０．４０ａまで変えたダイヤモンドについて短軸側ハート状反射光パターンのＤ／Ｌを測定した結果を図１８に示している。図１８ではガードル断面の短長径比（ｂ／ａ）をパラメータにしている。このグラフから短長径比（ｂ／ａ）に関係なく、ロワーガードルファセット距離（Ｇｄ）が０．１０ａから０．２０ａに増えるに従い、Ｄ／Ｌが急激に小さくなっている。短長径比（ｂ／ａ）が０．６５以下ではロワーガードルファセット距離（Ｇｄ）が０．１４ａ未満の場合のみハート状反射光パターンとなっている。言い換えれば、ガードル断面の短長径比（ｂ／ａ）が０．７を超えているときには、８個のハート状反射光パターンとなるが、短長径比（ｂ／ａ）がそれよりも小さいときにはロワーガードルファセット距離（Ｇｄ）の値によって短径側のハートパターンが崩れて、全体として４個のハート状反射光パターンとなる。
【００４８】
以上説明した検討結果を以下に纏める。
（１）本発明のオーバルカットしたダイヤモンドでは、テーブルファセットの長半径（Ｄｅｌ）が０．３７５ａ以上で、０．１よりも大きなＤ／Ｌを持ったハート状反射光パターンを持っており、０．２よりも大きなＤ／Ｌを持ったハート状反射光パターンを持つためには長半径（Ｄｅｌ）が０．４２５ａ以上である必要がある。
（２）パビリオン角（ｐ）が３８．０度〜４５度では少なくとも４個のハート状反射光パターンを持ち、パビリオン角（ｐ）が３８．０度〜４３．５度では８個のハート状反射光パターンを持つ。８個のハート状反射光パターンを持つ好ましいパビリオン角（ｐ）の範囲は３８．０度〜３９度である。
（３）ガードル断面の短長径比（ｂ／ａ）が０．６以上では少なくとも４個のハート状反射光パターンを持ち、短長径比（ｂ／ａ）が０．７を超えると８個のハート状反射光パターンを持つ。短長径比（ｂ／ａ）が１のときにはラウンドとなるので当然８個のハート状反射光パターンを持つが、オーバルカットとは言えない。
（４）ロワーガードルファセット距離（Ｇｄ）については、図１６，図１７から明らかなように０．１５ａから０．４０ａの範囲でハート状反射光パターンを持つ。
【００４９】
オーバルカットしたダイヤモンドについて上の実施例ではガードル断面が楕円の場合を説明した。本発明は、図１９に示すように２つの円弧１４が交わって形成されたガードル断面を持つ場合、および図２０に示すようにガードル断面が多角形（図２０では１６角形）をしておりその輪郭線１８が楕円あるいは楕円に類似した形をしている場合に適用できる。
【００５０】
また上の実施例では、中心軸からｘ軸方向（長軸方向）、ｙ軸方向（短軸方向）およびそれらのなす角をほぼ２等分する２等分線の方向に、クラウンのメインファセットが放射状に設けられ、パビリオンの８個のパビリオンメインファセットが同様に放射状に設けられている。そのために中心軸に関して、各クラウンメインファセットと各パビリオンメインファセットとが同じ方向にある。しかし、本発明はクラウンあるいはパビリオンを中心軸の周りに２２．５度回した図２１に上面図で示すクラウン２０′を持ちパビリオンは図２に示すものを持つオーバルカットしたダイヤモンド、およびパビリオンを中心軸の周りに２２．５度回した図２２に底面図で示すパビリオン４０′を持ちクラウンは図１に示すものを持つオーバルカットしたダイヤモンドであっても本発明を適用することが出来て、ハート状反射光パターンを少なくとも４個持つことができる。更に、図２１に示すクラウン２０′と図２２に示すパビリオン４０′を持つオーバルカットしたダイヤモンドであっても本発明を適用することができる。ロワーガードルファセットの現れるハート状反射光パターンはパビリオンメインファセットの像がテーブルファセットで反射されて形成されたものなので、クラウンの周辺にあるクラウンメインファセットやスターファセットとパビリオンの各ファセットとの関係が影響するものではない。図２１に示すクラウン２０′はガードル断面の長軸方向にｘ軸を、短軸方向にｙ軸を取ると、八辺形をしたテーブルファセット２２′の対向する２辺がｘ軸と直交するとともに、他の対向する２辺がｙ軸と直交し、残りの４辺がｘ軸とｙ軸とのなす角をほぼ２等分する２等分線とほぼ直交している。スターファセット３２′がそれらｘ軸、ｙ軸および２等分線、すなわち、８等分線、の方向に延びていて、三角形スターファセットの頂点がそれら８等分線の方向にある。そしてクラウンメインファセット２６′は８等分面で挟まれている。図２２に示すパビリオン４０′は、８等分面のなす角をほぼ２等分する１６等分面８０の方向に中心軸からパビリオンメインファセット４２″，４４″，４６″が延びている。そしてロワーガードルファセット５２′の中央にある稜が８等分線７０の方向に延びている。
【図面の簡単な説明】
【００５１】
【図１】本発明の実施例によるオーバルカットしたダイヤモンドの上面図を示す。
【図２】本発明の実施例によるオーバルカットしたダイヤモンドの底面図を示す。
【図３】本発明の実施例によるオーバルカットしたダイヤモンドの正面図を示す。
【図４】本発明の実施例によるオーバルカットしたダイヤモンドの側面図を示す。
【図５】オーバルカットしたダイヤモンドの観察方法を説明する模式図である。
【図６】本発明の実施例によるオーバルカットしたダイヤモンドの反射光パターンを示す模式図である。
【図７】本発明の実施例による他のオーバルカットしたダイヤモンドの反射光パターンを示す模式図である。
【図８】従来のオーバルカットダイヤモンドを裏から見たときに観察される反射光パターンの模式図である。
【図９】オーバルカットしたダイヤモンドを図２のｘ軸と１６等分面との間で切断した断面を用いて、ダイヤモンドに入射した光の光路を模式的に示す図である。
【図１０】ロワーガードルファセットに形成されたハート状反射光パターンの拡大模式図である。
【図１１】ハート状反射光パターンを形成するパビリオンメインファセットの拡大模式図である。
【図１２】ハート状反射光パターンを説明する図である。
【図１３】ハート状反射光パターンの評価Ｄ／Ｌとテーブルファセット長半径（Ｄｅｌ）との関係を、パビリオン角（ｐ）をパラメータとして、示すグラフである。
【図１４】長軸側のハート状反射光パターンの評価Ｄ／Ｌとパビリオン角（ｐ）との関係を、ロワーガードルファセット距離（Ｇｄ）をパラメータとして、示すグラフである。
【図１５】短軸側のハート状反射光パターンの評価Ｄ／Ｌとパビリオン角（ｐ）との関係を、ロワーガードルファセット距離（Ｇｄ）をパラメータとして、示すグラフである。
【図１６】長軸側のハート状反射光パターンの評価Ｄ／Ｌとガードル断面の短長径比（ｂ／ａ）との関係を、ロワーガードルファセット距離（Ｇｄ）をパラメータとして、示すグラフである。
【図１７】短軸側のハート状反射光パターンの評価Ｄ／Ｌとガードル断面の短長径比（ｂ／ａ）との関係を、ロワーガードルファセット距離（Ｇｄ）をパラメータとして、示すグラフである。
【図１８】短軸側のハート状反射光パターンの評価Ｄ／Ｌとロワーガードルファセット距離（Ｇｄ）との関係を、ガードル断面の短長径比（ｂ／ａ）をパラメータとして、示すグラフである。
【図１９】２つの円弧で形成されたガードル断面を説明する図である。
【図２０】１６角形で形成されたガードル断面を説明する図である。
【図２１】本発明の他の実施例のクラウンを上面図で示す。
【図２２】本発明の他の実施例のパビリオンを底面図で示す。
【符号の説明】
【００５２】
１０            ガードル
１４            円弧
１８            輪郭線
２０            クラウン
２１，２３，２４，２５，        頂点
２２、２２′            テーブルファセット
２６、２６′            クラウンメインファセット
３２、３２′            スターファセット
３６            アッパーガードルファセット
４０            パビリオン
４２，４２′，４２″，４４，４４″，４６、４６″        パビリオンメインファセット
４７            円（仮想円）
２７，２８，２９，３８，４８，４８′，４９，５０，５３，５４    （交）点
５２、５２′            ロワーガードルファセット
６０            中心軸
６２            下頂点
７０            ２等分線
８０            １６等分面
８６，８６′，８６″            辺
８７，８７′，８７″            他端（頂点）
９０            ハート状反射光パターン
１００          オーバルカットしたダイヤモンド
５０２          平板
５０３          円筒
５０４          光線
５１０          デジタルカメラ
５２０          ＣＲＴ
【図１】
2005095280.tif 000003
【図２】
2005095280.tif 000004
【図３】
2005095280.tif 000005
【図４】
2005095280.tif 000006
【図５】
2005095280.tif 000007
【図６】
2005095280.tif 000008
【図７】
2005095280.tif 000009
【図８】
2005095280.tif 000010
【図９】
2005095280.tif 000011
【図１０】
2005095280.tif 000012
【図１１】
2005095280.tif 000013
【図１２】
2005095280.tif 000014
【図１３】
2005095280.tif 000015
【図１４】
2005095280.tif 000016
【図１５】
2005095280.tif 000017
【図１６】
2005095280.tif 000018
【図１７】
2005095280.tif 000019
【図１８】
2005095280.tif 000020
【図１９】
2005095280.tif 000021
【図２０】
2005095280.tif 000022
【図２１】
2005095280.tif 000023
【図２２】
2005095280.tif 000024